(57)【要約】【課題】ＰＴＴ機能を用いた会話では、途中から会話に参加することができるにもかかわらず、過去の会話記録を知ることができないため、会話へのスムーズな参加が困難であった。【解決手段】無線端末１からのＰＴＴ会話の音声情報をサーバ無線部１１で受信し、サーバ制御部１２が当該音声情報を文字情報に変換してサーバ記録部１３に保存する。ユーザが、キー入力部７に割り当てられた会話記録閲覧を要求するボタンを押下すると、無線端末１は、サーバ１０に保存された文字情報を取得して、端末表示部６に当該文字情報を表示する。したがって、会話に参加しているユーザがいつでも過去の会話内容を閲覧でき、ＰＴＴ通信の利便性を向上することができる。【選択図】図１
2007165951.tif 000002
【特許請求の範囲】
【請求項１】
ＰＴＴ（Ｐｕｓｈ  Ｔｏ  Ｔａｌｋ）機能を有する無線端末と、前記無線端末と通信網を介して接続するサーバとを備え、
前記サーバは、
前記無線端末と通信するサーバ無線部と、
前記無線端末からのＰＴＴ会話を文字情報に変換するサーバ制御部と、
会話記録として前記文字情報を保存するサーバ記録部と
を備え、
前記無線端末は、
前記サーバと通信する端末無線部と、
ユーザが前記無線端末を操作できる入力部と、
操作画面を表示する端末表示部と、
前記無線端末の挙動制御を行う端末制御部と
を備え、
前記端末制御部は、前記端末無線部を介して、会話記録閲覧要求を前記サーバに送信でき、
前記要求を受け取った前記サーバは、前記サーバ制御部によって前記文字情報を前記サーバ記録部から読み出し、前記サーバ無線部を介して、前記無線端末に送信でき、
前記文字情報を受信した前記無線端末は、前記端末制御部によって前記文字情報を前記端末表示部に表示できる無線端末制御システム。
【請求項２】
前記無線端末は、前記端末表示部に前記文字情報を全て表示、発言者別に表示、または時間帯別に表示を選択できる請求項１記載の無線端末制御システム。
【請求項３】
前記無線端末は、
前記文字情報を保存する端末記録部を
さらに備える請求項１記載の無線端末制御システム。
【請求項４】
ＰＴＴ（Ｐｕｓｈ  Ｔｏ  Ｔａｌｋ）会話を文字情報に変換し、前記文字情報を会話記録として保存できるサーバと通信網を介して接続可能であり、ＰＴＴ機能を有する無線端末であって、
前記サーバと通信できる端末無線部と、
前記無線端末の挙動制御を行う端末制御部と、
操作画面を表示する端末表示部と、
ユーザが前記無線端末を操作できる端末入力部とを備え、
前記端末制御部は、前記端末無線部を介して会話記録閲覧要求を前記サーバに送信できるとともに、前記端末無線部にて受信した前記文字情報を前記端末表示部に表示できる無線端末。
【請求項５】
前記無線端末は、前記端末表示部に前記文字情報を全て表示、発言者別に表示、または時間帯別に表示を選択できる請求項４記載の無線端末。  
【請求項６】
前記文字情報を保存する端末記録部を
さらに備える請求項４記載の無線端末。
【発明の詳細な説明】
【技術分野】
【０００１】
本発明は、無線端末制御システムおよび無線端末に関し、特に、ＰＴＴ（Ｐｕｓｈ  Ｔｏ  Ｔａｌｋ）通信の利便性を向上する技術に関する。
【背景技術】
【０００２】
ＰＴＴとはＰｕｓｈ  Ｔｏ  Ｔａｌｋの略であり、トランシーバのような通話スタイルを実現するための技術およびサービスを指し、１対１または複数人で会話を行うことができる。当該サービスは、ＰＴＴ機能を有する無線端末およびサーバを備えるシステムで実現される。
【０００３】
ＰＴＴ会話を開始する場合、ユーザは会話に参加する他のユーザを無線端末に存在する電話帳もしくは相手の電話番号を直接入力することにより呼び出す。呼び出しを受けたユーザは、応答操作を行うことにより、会話に参加する。
【０００４】
ＰＴＴ会話において発言を行う場合、ユーザは無線端末に付属している通話ボタン押し続けることにより、他の会話参加ユーザに対して発言することができる。ＰＴＴ会話は複数人が会話に参加できるが、発言権を取得することができるのはただひとりのユーザのみである。
【０００５】
発言権のあるユーザが発言した音声データは一度サーバに送信される。サーバはＰＴＴ会話に参加しているユーザを管理しており、サーバが受信した音声データを参加しているユーザの無線端末に対して送信する。
【０００６】
また、通話ボタンから離すことで、発言権が失われ、他のユーザが通話ボタンを押下することで、当該ユーザに発言権が移る。
【０００７】
このようなＰＴＴ機能を備えた携帯電話機が特許文献１に開示されている。
【０００８】
【特許文献１】特開２００５−２１７８９１号公報
【発明の開示】
【発明が解決しようとする課題】
【０００９】
しかしながら、上述したようなＰＴＴ通信では、後からユーザがＰＴＴ通信に参加する場合、会話に途中から参加したユーザには今までの会話内容が分からず、以前から参加しているユーザに説明を求める必要があり、ユーザの利便性を損なうという問題があった。
【００１０】
そこで、本発明は、上記問題点を解決するためのものであって、ＰＴＴ通信の利便性を向上する無線端末制御システムおよび無線端末を提供することを目的とする。
【課題を解決するための手段】
【００１１】
本発明に係る請求項１記載の無線端末制御システムは、ＰＴＴ（Ｐｕｓｈ  Ｔｏ  Ｔａｌｋ）機能を有する無線端末と、前記無線端末と通信網を介して接続するサーバとを備え、前記サーバは、前記無線端末と通信するサーバ無線部と、前記無線端末からのＰＴＴ会話を文字情報に変換するサーバ制御部と、会話記録として前記文字情報を保存するサーバ記録部とを備え、前記無線端末は、前記サーバと通信する端末無線部と、ユーザが前記無線端末を操作できる入力部と、操作画面を表示する端末表示部と、前記無線端末の挙動制御を行う端末制御部とを備え、前記端末制御部は、前記端末無線部を介して、会話記録閲覧要求を前記サーバに送信でき、前記要求を受け取った前記サーバは、前記サーバ制御部によって前記文字情報を前記サーバ記録部から読み出し、前記サーバ無線部を介して、前記無線端末に送信でき、前記文字情報を受信した前記無線端末は、前記端末制御部によって前記文字情報を前記端末表示部に表示できる。
【００１２】
本発明に係る請求項４記載の無線端末は、ＰＴＴ（Ｐｕｓｈ  Ｔｏ  Ｔａｌｋ）会話を文字情報に変換し、前記文字情報を会話記録として保存できるサーバと通信網を介して接続可能であり、ＰＴＴ機能を有する無線端末であって、前記サーバと通信できる端末無線部と、前記無線端末の挙動制御を行う端末制御部と、操作画面を表示する端末表示部と、ユーザが前記無線端末を操作できる端末入力部とを備え、前記端末制御部は、前記端末無線部を介して会話記録閲覧要求を前記サーバに送信できるとともに、前記端末無線部にて受信した前記文字情報を前記端末表示部に表示できる。
【発明の効果】
【００１３】
本発明に係る請求項１記載の無線端末制御システムは、ＰＴＴ（Ｐｕｓｈ  Ｔｏ  Ｔａｌｋ）機能を有する無線端末と、前記無線端末と通信網を介して接続するサーバとを備え、前記サーバは、前記無線端末と通信するサーバ無線部と、前記無線端末からのＰＴＴ会話を文字情報に変換するサーバ制御部と、会話記録として前記文字情報を保存するサーバ記録部とを備え、前記無線端末は、前記サーバと通信する端末無線部と、ユーザが前記無線端末を操作できる入力部と、操作画面を表示する端末表示部と、前記無線端末の挙動制御を行う端末制御部とを備え、前記端末制御部は、前記端末無線部を介して、会話記録閲覧要求を前記サーバに送信でき、前記要求を受け取った前記サーバは、前記サーバ制御部によって前記文字情報を前記サーバ記録部から読み出し、前記サーバ無線部を介して、前記無線端末に送信でき、前記文字情報を受信した前記無線端末は、前記端末制御部によって前記文字情報を前記端末表示部に表示できるので、他の会話参加ユーザに会話の内容を確認することなく、今までの会話内容を知ることができ、ＰＴＴ通信の利便性が向上する。
【００１４】
本発明に係る請求項４記載の無線端末は、ＰＴＴ（Ｐｕｓｈ  Ｔｏ  Ｔａｌｋ）会話を文字情報に変換し、前記文字情報を会話記録として保存できるサーバと通信網を介して接続可能であり、ＰＴＴ機能を有する無線端末であって、前記サーバと通信できる端末無線部と、前記無線端末の挙動制御を行う端末制御部と、操作画面を表示する端末表示部と、ユーザが前記無線端末を操作できる端末入力部とを備え、前記端末制御部は、前記端末無線部を介して会話記録閲覧要求を前記サーバに送信できるとともに、前記端末無線部にて受信した前記文字情報を前記端末表示部に表示できるので、他の会話参加ユーザに会話の内容を確認することなく、今までの会話内容を知ることができ、ＰＴＴ通信の利便性が向上する。
【発明を実施するための最良の形態】
【００１５】
（実施の形態１）
本発明に係る実施の形態１について、図を用いて説明する。図１は、実施の形態１に係る無線端末およびサーバの概略構成図である。
【００１６】
無線端末１は、アンテナ２と、サーバ１０と通信するための端末無線部３と、無線端末１の挙動制御を行う端末制御部４と、画像や電話帳などのデータを記録しておく端末記録部５と、操作メニューや画像などを表示する端末表示部６と、ユーザが無線端末１の操作を行うキー入力部７と、ＰＴＴ会話において発言権を取得するための通話開始ボタン８とで構成されている。なお、通話開始ボタン８は、キー入力部７に割り当てることもできる。
【００１７】
サーバ１０は、無線端末１と通信するためのサーバ無線部１１と、無線端末１からの要求を処理し、ユーザ情報を管理するサーバ制御部１２と、ユーザのデータを保存しておくサーバ記録部１３とで構成されている。
【００１８】
なお、サーバ制御部１２は、無線端末１からの会話を文字情報に変換し、当該文字情報を会話記録としてサーバ記録部１３に保存することができるとともに、無線端末１からの会話記録閲覧要求に応じて、サーバ記録部１３に保存された文字情報を取り出し、サーバ無線部１１を介して、無線端末１に送信することができる。
【００１９】
また、端末制御部４は、キー入力部７に割り当てられた会話記録閲覧ボタンが押下されると、端末無線部３を介して、サーバ１０に会話記録閲覧要求を送信するとともに、サーバ１０から受信した文字情報を端末表示部６に表示することができる。
【００２０】
次に、本実施の形態１に係る無線端末およびサーバの特徴的な動作の一例を図２に示すフローチャートを参照して説明する。なお、当該フローチャートは、複数のユーザによってＰＴＴ通信が行われている際の途中のステップを示すものであり、一般的なＰＴＴ通信の動作については省略する。
【００２１】
まず、ステップＳ２０１にて、ユーザは通話開始ボタン８を押下することにより、ＰＴＴ会話の発言権を得て、音声会話を開始する。
【００２２】
ステップＳ２０２にて、ユーザが発言した音声情報（会話）は、端末無線部３から送信され、サーバ無線部１１で受信される。
【００２３】
ステップＳ２０３にて、サーバ１０が受信した当該音声情報（会話）は、サーバ制御部１２で文字情報に変換される。
【００２４】
ステップＳ２０４にて、サーバ制御部１２は当該文字情報を会話記録としてサーバ記録部１３に保存する。
【００２５】
続いて、ステップＳ２０５にて、ユーザがキー入力部７に割り当てられた会話記録閲覧を要求するボタンを押下する。
【００２６】
ステップＳ２０６にて、端末制御部４は、端末無線部３を介して、サーバ１０に会話記録閲覧要求を送信する。
【００２７】
ステップＳ２０７にて、当該要求を受け取ったサーバ１０は、サーバ制御部１２によって、サーバ記録部１３に保存されている文字情報を読み出し、当該文字情報をサーバ無線部１１を介して、端末無線部３へと送信する。
【００２８】
ステップＳ２０８にて、当該文字情報を受信した無線端末１は、端末制御部４によって端末表示部６に当該文字情報を表示する。
【００２９】
ステップＳ２０９にて、ユーザは端末表示部６に表示された過去の会話記録を文字情報として閲覧することができる。
【００３０】
以上のように、本実施の形態１に係る無線端末制御およびサーバによれば、ユーザが発言した会話内容は、文字情報としてサーバ１０に蓄積され、ユーザは無線端末１を操作することによりＰＴＴ会話中にいつでも過去の会話記録を閲覧することができる。
【００３１】
なお、ステップＳ２０１〜Ｓ２０４の動作と、ステップＳ２０５〜Ｓ２０９の動作は各々独立して実施できる。すなわち、ステップＳ２０１〜Ｓ２０４の動作により発言権を得てＰＴＴ会話を行っているユーザとは別のユーザが、ステップＳ２０５〜２０９の動作により、過去の会話記録を閲覧することができる。
【００３２】
したがって、ＰＴＴ通信を行っているグループに、後からユーザが参加するときでも、今までの会話内容を、他のユーザに確認することなく知ることができ、ＰＴＴ通信の利便性を向上することができる。
【００３３】
（実施の形態２）
続いて、本発明に係る実施の形態２について、図を用いて説明する。本実施の形態２に係る無線端末とサーバの構成は実施の形態１と同一である。ただし、サーバ制御部１２は、無線端末１からの音声情報（会話）を文字情報に変換し、当該文字情報を発言者情報および時間情報とともにサーバ記録部１３に保存することができる。また、端末制御部４は、キー入力部７に割り当てられた会話記録閲覧ボタンが押下されると、会話記録閲覧形式選択画面を端末表示部６に表示し、選択された形式による会話記録閲覧をサーバ１０に要求することができる。
【００３４】
以下、具体的に本実施の形態２に係る無線端末およびサーバの特徴的な動作を図３に示すフローチャートを参照して説明する。なお、上述したように、サーバ１０はＰＴＴ会話を文字情報に変換して、発言者情報および時間情報とともに記録しており、図３に示すフローチャートは、その後の会話記録閲覧要求時の動作を示すフローチャートである。
【００３５】
まず、ステップＳ３０１にて、ユーザがキー入力部７に割り当てられた会話記録閲覧を要求するボタンを押下する。
【００３６】
ステップＳ３０２にて、端末制御部４は図４に示す会話記録閲覧形式選択画面を端末表示部６に表示する。このとき、図４に示す表示欄６１のメニュー１には「全て表示」、表示欄６２のメニュー２には「発言者別に表示」、表示欄６３のメニュー３には「時間帯別に表示」と表示される。
【００３７】
ステップＳ３０３にて、ユーザが「全て表示」、「発言者別に表示」、「時間帯別に表示」のいずれかを選択する。以下、それぞれを選択した場合について説明する。
【００３８】
ステップＳ３０３にて、例えば、ユーザがキー入力部７に割り当てられた「全てを表示」を選択するボタンを押下する。
【００３９】
すると、ステップＳ３０４にて、端末制御部４は端末無線部３を介して、サーバ１０に会話記録を全て要求する。当該要求を受け取ったサーバ１０は、サーバ制御部１２によって、サーバ記録部１３に保存された文字情報を全て取り出し、サーバ無線部１１を介して、端末無線部３に送信する。当該文字情報を受信した無線端末１は、端末制御部４によって、端末表示部６に当該文字情報（全ての会話記録）を表示する。
【００４０】
ステップＳ３０７にて、ユーザは、全ての会話記録を文字情報として閲覧することができる。
【００４１】
また、ステップＳ３０３にて、例えば、ユーザがキー入力部７に割り当てられた「発言者別に表示」を選択するボタンを押下する。
【００４２】
すると、ステップＳ３０５にて、端末制御部４は図５に示す発言者選択画面を端末表示部６に表示する。図５は、サーバ１０に保存された会話記録において、誰の発言を閲覧するのかを選択する画面である。表示欄６１は発言者１、表示欄６２は発言者２、表示欄６３は発言者３をそれぞれ表している。ここで、ユーザが、例えば、キー入力部７に割り当てられた発言者１を選択するボタンを押下する。
【００４３】
すると、ステップＳ３０４にて、端末制御部４は、端末無線部３を介して、サーバ１０に発言者１の会話記録を要求する。当該要求を受け取ったサーバ１０は、サーバ制御部１２によって、サーバ記録部１３に保存された文字情報のうち、発言者１の文字情報を取り出し、サーバ無線部１１を介して、端末無線部３に送信する。当該文字情報を受信した無線端末１は、端末制御部４によって、端末表示部６に当該文字情報（発言者１の会話記録）を表示する。
【００４４】
ステップＳ３０７にて、ユーザは、発言者１の会話記録を文字情報として閲覧することができる。なお、本実施の形態２では、発言者を３人までとしているが、それ以上の人数の発言者表示に拡張することは容易である。
【００４５】
また、ステップＳ３０３にて、例えば、ユーザがキー入力部７に割り当てられた「時間帯別に表示」を選択するボタンを押下する。
【００４６】
すると、ステップＳ３０６にて、端末制御部４は図５に示す時間帯選択画面を端末表示部６に表示する。図６は、サーバ１０に保存された会話記録において、いつの時間帯の発言を閲覧するのかを選択する画面である。表示欄６１は時間帯１、表示欄６２は時間帯２、表示欄６３は時間帯３をそれぞれ表している。ここで、ユーザが、例えば、キー入力部７に割り当てられた時間帯１を選択するボタンを押下する。
【００４７】
すると、ステップＳ３０４にて、端末制御部４は、端末無線部３を介して、サーバ１０に時間帯１の会話記録を要求する。当該要求を受け取ったサーバ１０は、サーバ制御部１２により、サーバ記録部１３に保存された文字情報のうち、時間帯１に発言された文字情報を取り出し、サーバ無線部１１を介して、端末無線部３に送信する。当該文字情報を受信した無線端末１は、端末制御部４により、端末表示部６に当該文字情報（時間帯１の会話記録）を表示する。
【００４８】
ステップＳ３０７にて、ユーザは、時間帯１の会話記録を文字情報として閲覧することができる。なお、本実施の形態２では、時間帯を３つまでとしているが、それ以上の時間帯区分の表示に拡張することは容易である。
【００４９】
ここで、ステップＳ３０３における表示画面の切り替えは、発言者が発する音声情報とは独立して操作できるため、発言者がいる、いないに関わらず過去の会話記録を閲覧することができる。すわなち、会話記録を要求する時に、発言権を得て会話をしているユーザがいなくとも、過去の会話記録を閲覧することができる。
【００５０】
以上のように、実施の形態２によれば、ユーザは過去に行われた会話を「全て表示」、「発言者別に表示」、「時間帯別に表示」から選択して、端末表示部６に表示することができる。また、発言者がいる、いないに関わらず、すなわち会話記録を要求する時に、発言権を得て会話しているユーザがいなくとも、過去の会話記録を閲覧することができる。
【００５１】
なお、本実施の形態２では、無線端末１は会話記録を選択した形式（「全て」「発言者別」「時間帯別」）でサーバ１０に要求しているが、これに限らない。例えば、会話記録を全て要求して、サーバ１０から過去の会話記録を全て文字情報として受信した上で、端末制御部４が、ユーザの選択に応じて、「全て」「発言者別」「時間帯別」に端末表示部６に表示してもよい。
【００５２】
（実施の形態３）
続いて、本発明に係る実施の形態３について、図を用いて説明する。本実施の形態３に係る無線端末とサーバの構成は実施の形態１と同一である。ただし、端末記録部５はサーバ１０から受信した文字情報を保存する領域を有しており、端末制御部４は、当該文字情報を端末記録部５に保存することができるとともに、端末記録部５に保存された文字情報を取り出し、端末表示部６に表示することができる。
【００５３】
以下、具体的に本実施の形態３に係る無線端末およびサーバの特徴的な動作を図７および８に示すフローチャートを参照して説明する。図７は、無線端末１がサーバ１０から受信した文字情報を端末記録部５に保存する動作を示すフローチャート、図８は無線端末１が端末記録部５に保存された文字情報を閲覧する動作を示すフローチャートである。
【００５４】
図７を参照して、まず、ステップＳ４０１にて、実施の形態１または実施の形態２で述べた方法により、会話記録を文字情報として端末表示部６に表示させる。
【００５５】
ステップＳ４０２にて、ユーザはキー入力部７に割り当てられた閲覧中の会話記録を保存する会話記録保存ボタンを押下する。
【００５６】
ステップＳ４０３にて、端末制御部４が表示中の文字情報を端末記録部５に保存する。
【００５７】
このような会話記録保存動作を必要に応じて行うことで、無線端末１に複数の会話記録を保存することができる。なお、このような会話記録の保存は、例えばファイル名別に保存され、複数の会話記録を識別することができる。
【００５８】
続いて、図８を参照して、ステップＳ５０１にて、ユーザがキー入力部７に割り当てられた保存会話記録の一覧を表示するボタンを押下すると、端末制御部４は、保存された複数の会話記録の一覧を端末記録部５から取り出し、当該会話記録一覧を端末表示部６に表示する。当該会話記録一覧は、例えばファイル名の一覧として表示される。
【００５９】
ステップＳ５０２にて、ユーザはキー入力部７に割り当てられた会話記録（例えば、所定のファイル名）を選択するボタンを押下する。
【００６０】
すると、ステップＳ５０３にて、端末制御部４は、選択された会話記録を端末記録部５から取り出し、端末表示部６に表示する。ユーザは選択した会話記録を文字情報として閲覧することができる。
【００６１】
以上のように、本実施の形態３によれば、過去の会話記録で特に必要とする物があれば、自分の無線端末にその会話記録を文字情報として保存することができ、必要な時にいつでも、例えば、ＰＴＴ通信終了後でも、閲覧することができる。
【図面の簡単な説明】
【００６２】
【図１】実施の形態１に係る無線端末およびサーバの概略構成を示す図である。
【図２】実施の形態１の動作を示すフローチャートである。
【図３】実施の形態２の動作を示すフローチャートである。
【図４】無線端末表示部の会話閲覧形式選択画面を示す図である。
【図５】無線端末表示部の会話閲覧形式発言者表示選択画面を示す図である。
【図６】無線端末表示部の会話閲覧形式時間帯表示選択画面を示す図である。
【図７】実施の形態３による会話記録保存動作を示すフローチャートである。
【図８】実施の形態３による保存会話記録閲覧動作を示すフローチャートである。
【符号の説明】
【００６３】
１  無線端末、３  端末無線部、４  端末制御部、５  端末記録部、６  端末表示部、７  キー入力部、１０  サーバ、１１  サーバ無線部、１２  サーバ制御部、１３  サーバ記録部。
【図１】
2007165951.tif 000003
【図２】
2007165951.tif 000004
【図３】
2007165951.tif 000005
【図４】
2007165951.tif 000006
【図５】
2007165951.tif 000007
【図６】
2007165951.tif 000008
【図７】
2007165951.tif 000009
【図８】
2007165951.tif 000010